(57)【要約】      （修正有）【課題】携帯に便利でスマート、高級感があり、卓上においても自立可能で、ノートとしてもカレンダーとしても使用可能とした、自立タイプノートカレンダーの提供にある。【解決手段】官製葉書サイズのノート用紙群及びカレンダー用紙群と２枚の厚い表紙の片辺を回転可能なリングで綴じる。【選択図】図１
0003112903.tif 000002
【実用新案登録請求の範囲】
【請求項１】
２枚の表紙と中紙（カレンダー及びノート用紙群）の片辺をリングで綴じ、回転可能なファイリングをし、表紙１と３を自立可能な厚紙を使用する事によって、スマートで高級感があり携帯にも便利な上、卓上で組み立てる必要がなく簡単に立てる事が出来ることを特徴とする自立タイプノートカレンダー。
【請求項２】
全体をほぼ官製葉書大の四角形状にすることによりコンパクトで携帯に邪魔にならず卓上でのスペースもとらない。又、生産コスト上でも、印刷取り都合も良く、低価格での提供が可能となった請求項１に記載の自立タイプカレンダー。
【請求項３】
加えてカレンダーの中表紙又は２枚目にこのカレンダーの特徴や、取り扱い説明書を綴じ込む事により、改めて印刷物を同封する必要がなくなり、
低コストに押さえることが出来ることとした請求項１〜２に記載の自立タイプノートカレンダー。
【請求項４】
ノートの枚数は何枚でも増やすことが出来るので必要に応じて製作が可能であることとした請求項１〜３に記載の自立タイプノートカレンダー。
【請求項５】
表紙１と３を中紙サイズより下部へ１０〜１５ｍｍ程大きめにとることにより４のスペースに後から個別に名入れが可能となるようにした請求項１〜４に記載の自立タイプノートカレンダー。
【考案の詳細な説明】
【考案の詳細な説明】
【技術分野】
【０００１】本考案は葉書サイズでコンパクト。ノートでありながらカレンダーの機能を持ち、携帯に便利で低コスト。名入れも出来るから販促品としても価値が高い。卓上でもスペースをとらずに簡単に自立させることが出来るノートカレンダーに関するものである。
【背景技術】
【０００２】これまで、卓上カレンダーと言えば、塩ビケースやプラケースに入ったものか、組立式によるものが主流であり、カレンダーの枠や欄に書き込むものがほどんどであった。又、ダイアリーでは、書き込むスペースは有っても卓上でカレンダーとして立てて使用することが出来なかった。ビジネス社会においてミーティング、会議、営業など、机から離れることが多く、カレンダー携帯の必要性や卓上での活用が必要であり、これを容易にスマートにする必要があった。
【考案の開示】
【考案が解決しようとする課題】
【０００３】本考案は前記のような問題を解消して、特別な製造方法をとることなく、携帯に便利でスマート。卓上においても自立可能、中紙を増やせばノートとしても使用可能とした、自立タイプノートのカレンダーの提供にある。
【課題を解決するための手段】
【０００４】上記した課題を解決するためになされた請求項１の考案は２枚の表紙を厚紙にし、中紙と共にリングで綴じ、回転可能なファイリングをすることを特徴としたものである。また、請求項２の考案は、全体をほぼ官製葉書大の四角形状としたことを特徴とするものである。また、請求項３の考案は、中紙のノート部分の一枚を取り扱い説明書として印刷することを特徴とするものである。また、請求項４の考案はカレンダー部分以外の紙をノートとして自由に枚数を増やして製作することが出来ることを特徴とするものである。また、請求項５の考案は２枚の表紙の下部にスペースを作り、個別名入れを可能にしたことを特徴とするものである。
【考案の効果】
【０００５】本考案は、以上の説明から明らかなように、特別な製造方法を取ることなく、簡単に製作でき、使用者は使用目的に応じてこれを携帯し、会議ではスケジュールチェック、日付チェック、及びメモ書き用に、又、机にあっては、スタンドタイプカレンダーとして使用できる。ハードカバーのため、スマートで高級感がある。また、ローコストで名入れ可能なため、販促品としても使用することが出来る実用的価値に優れたものである。
【考案を実施するための最良の形態】
【０００６】次に、本考案の好ましい実施の形態を図面を参考にして詳細に説明する。〔図１〕１は、表紙はスタンドとして使用する時、通常の紙厚では曲がったり、反ってしまうので１ｍｍ厚以上の紙を使用することが望ましい。３も同様に１と同等の紙厚を使用する。本考案では印刷取り都合上、ほぼ官製葉書大の四角形状としたが、名入れをすることを考えた時下部方向に１５ｍｍ程度サイズを大きめにとる方がよい。又、高級感を出すのであれば黒色が良いと思われる。材質は自立させるためになるべくすべらないものが良いが、塩ビ板やアクリル板などのプラスチック製のものや、木板でも差し支えない。このノートカレンダーの最大の特徴を出すためには上記に上げた材質感や厚さが重要であり、このことがカレンダーとして立てるときも、携帯する時も容易に、そして、スマートにハンドリングできることにある。【０００７】この表や裏表紙は、名入れスペースとしても有効でタイトルやロゴ入れが容易に行えることも特徴の一つである。〔図２〕【０００８】卓上に固定して使用したい時は表紙と裏表紙に（２枚の表紙に）他の受け口に差し込むことにより固定し卓上にて通常のカレンダー同様使用が可能となる。この形状や方法は、上記実例に限るものでなく公知のどのようなものを利用しても構わない。【０００９】〔図１〕４の部分については請求項５で述べたように後から個別名入れを可能にするために、２の紙サイズよりも３の表紙が下部方向へ１５ｍｍ程度大きくする様に設定した。【００１０】この２枚の表紙と中紙１６枚の片辺をリングで綴じ回転可能なファイリングをした。これにより、各ページが容易にめくることが出来、卓上でフラットな状態での書込みを可能にした。又、カレンダーとして立てる際、表紙１を反転させるだけで容易に立てることが出来た。携帯する際も同様に逆に反転させ容易に戻せることは言うまでもない。【００１１】このカレンダー２の部分は、ノートして又カレンダーとして使用する為、その上に直接文字を記入することが出来る紙製であることが好ましく、上質及びマット紙がより、書込みを容易にさせるもである。【００１２】カレンダーとしての目的が主の場合、１枚目はタイトルを２枚目には請求項３で述べた取り扱い説明書を印刷し、３枚目より１４枚目までを１２ヶ月のカレンダーとする。１５枚目を年間カレンダーとし、そして最後にノートを１枚付け、１６枚でなるノートカレンダーが出来る。【００１３】ノートとしての目的が主の場合、１枚目は取り扱い説明書とし２枚目から８枚目までをノートとする。９枚目から１４枚目までを１枚に２ヶ月カレンダーとし、１２ヶ月のカレンダーを印刷する。１５枚目を年間カレンダーとし１６枚目をメモ＆Ｔｅｌとするノートカレンダーを製作する。【００１４】このように構成された本考案の自立タイプノートカレンダーはコンパクトでありながらノートして又カレンダーとして有効かつ実用的なものである。
【実施例】
【００１５】次に実施例を〔図１〕と〔図２〕にもどずいて具体的に説明する。自立タイプノートカレンダーが〔図２〕の様に自立する状態までに何秒かかるか立ててみることにした。３秒とかからなかった。又、逆に立てた状態から綴じた状態にするには、１秒とかからなかった。〔図２〕の状態で手に持った感じは、コンパクトで持ちやすくハードカバーのせいか、しっかりした感覚で厚み６〜７ｍｍしかないのに重量感があり、高級感があった。又、カレンダーをめくる作業も左手で本体を軽く持ち、右手で容易にめくることが出来た。カレンダーの玉やノートに書き込むときも容易にフラットにして書くことが出来た。立てる際に２枚の表紙の間に指を入れて立てて見ると、１秒もかからずに容易に立てることが出来た。
【産業上の利用可能性】
【００１６】本考案は、携帯として又、机上等に立てた状態で使用できる自立タイプノートカレンダーに関するものである。
【図面の簡単な説明】
【００１７】
【図１】本考案の実施の形態を示す斜視図である。
【図２】本考案の携帯時における状態を示す斜視図である。
【図３】本考案の自立を固定させるための方法を示す説明図。
【符号の説明】
【００１８】１厚紙（板紙）又はプラスチック／塩ビ板
２中紙（カレンダー及びノート用紙群）
３厚紙（１同様）
４名入れスペース
５リング
６名入れスペース
【図１】
0003112903.tif 000003
【図２】
0003112903.tif 000004
【図３】
0003112903.tif 000005
【手続補正書】
【提出日】平成17年4月8日(2005.4.8)
【手続補正１】
【補正対象書類名】実用新案登録請求の範囲
【補正対象項目名】全文
【補正方法】変更
【補正の内容】
【実用新案登録請求の範囲】
【請求項１】
官製葉書サイズのノート用紙群及びカレンダー用紙群と２枚の厚い表紙の片辺を回転可能なリングで綴じることにより、ノートと卓上カレンダーという機能をスマートに携帯でき、いつでもどこでもカレンダーを見ることが出来る上、ノートの書き込みも容易にでき、卓上カレンダーとして使う時も簡単に自立できることを特徴とする自立タイプノートカレンダー。
【手続補正２】
【補正対象書類名】明細書
【補正対象項目名】全文
【補正方法】変更
【補正の内容】
【考案の詳細な説明】
【技術分野】
【０００１】本考案は、全体をほぼ官製葉書大の四角形状にし、２枚の表紙を厚くしっかりした台紙を使用することにより、卓上においては卓上カレンダーとして、組み立てることなく、簡単に卓上で自立させることを可能とし、書き込んだ際も瞬時に平らな状態で容易に書き込むことが可能となった。厚手の台紙で綴じられたノートカレンダーは、高級感があり、携帯しても中紙が破れたり、折れ曲がったりすることなく、スマートに持ち運べる。加えて、中紙のノートの枚数や印刷が必要に応じて変更可能であり、表紙及び裏表紙下部に後から名入れすることも出来るので、販促品としても価値が高い。必要に応じて、携帯し、ノートとして、卓上カレンダーとして容易に使用することが出来る自立タイプノートカレダー。
【背景技術】
【０００２】これまで、卓上カレンダーと言えば、塩ビケースやプラケースに入ったものか、組立式によるものが主流であり、カレンダーの枠や欄に書き込むものがほどんどであった。又、ダイアリーでは、書き込むスペースは有っても卓上でカレンダーとして立てて使用することが出来なかった。ビジネス社会においてミーティング、会議、営業など、机から離れることが多く、現代社会ではカレンダー携帯の必要性や卓上での活用が必要であり、これを容易にスマートにする必要があった。
【考案の開示】
【考案が解決しようとする課題】
【０００３】これまで卓上カレンダーといえばケースに入ったものか、三角状に固定されたものが主流で、書き込む際、ケースより１枚取りだすか、ケースに入ったまま書くのが通常であり、書きずらく、カレンダーの出し入れに手間がかかった。固定された卓上カレンダーでは、それをそのまま寝かした形で書き込むしかなかった。又、書き込みたい内容が多い時ほどカレンダー内には、メモスペースがないため別のノートを用意する必要があった。ビジネス社会においては、カレンダーとノートを兼ねるものとして、ダイアリー、システムノート及び手帳等を使用しているが、ダイアリーやシステムノートでは、スケジュール管理程度の内容時には、少しかさばり、携帯するには不便であり手帳ではカレンダーが見ずらく、書き込みスペースが小さく、卓上においてともに立たせることが出来ないため、卓上カレンダーが別に必要であった。
【課題を解決するための手段】
【０００４】本考案の自立タイプノートカレンダーは、卓上カレンダーとノート機能を一体に備えただけでなく、表紙２枚を厚くすることにより自立を可能とし、見た目にも高級感をもたせ、携帯に便利で実用品として充分配慮したものである。即ち、この自立タイプノートカレンダーは、全体をほぼ官製葉書サイズとし、厚さ１ｍｍ程度の表紙２枚とカレンダー用紙群及びノート用紙群とを回転可能なリングで綴じることにより、携帯に便利で、いつでも、どこでもカレンダーを見る事が出来、ノートとしても使用可能とし、卓上にあっては卓上カレンダーとして簡単に自立させて使うことができ、書き込む際には、すぐに平らな状態で書くことが出来ることを特徴とするものである。
【考案の効果】
【０００５】本考案は、以上の説明から明らかなように、特別な製造方法を取ることなく、簡単に製作でき、使用者は使用目的に応じてこれを携帯し、会議ではスケジュールチェック、日付チェック、及びメモ書き用に、又、机にあっては、スタンドタイプカレンダーとして使用できる。ハードカバーのため、スマートで高級感がある。また、ローコストで名入れ可能なため、販促品としても使用することが出来る実用的価値に優れたものである。
【考案を実施するための最良の形態】
【０００６】次に、本考案の好ましい実施の形態を図面を参考にして詳細に説明する。〔図１〕１は、表紙はスタンドとして使用する時、通常の紙厚では曲がったり、反ってしまうので１ｍｍ厚以上の紙を使用することが望ましい。３も同様に１と同等の紙厚を使用する。本考案では印刷取り都合上、ほぼ官製葉書大の四角形状としたが、名入れをすることを考えた時下部方向に１５ｍｍ程度サイズを大きめにとる方がよい。又、高級感を出すのであれば黒色が良いと思われる。材質は自立させるためになるべくすべらないものが良いが、塩ビ板やアクリル板などのプラスチック製のものや、木板でも差し支えない。この自立タイプノートカレンダーの最大の特徴を出すためには上記に上げた材質感や厚さが重要であり、このことがカレンダーとして立てるときも、携帯する時も容易に、そして、スマートにハンドリングできることにある。【０００７】この表や裏表紙は、名入れスペースとしても有効でタイトルやロゴ入れが容易に行えることも特徴の一つである。〔図２〕【０００８】卓上に固定して使用したい時は表紙と裏表紙に（２枚の表紙に）他の受け口に差し込むことにより固定し卓上にて通常のカレンダー同様使用が可能となる。この形状や方法は、上記実例に限るものでなく公知のどのようなものを利用しても構わない。【０００９】〔図１〕４の部分については、後から個別名入れを可能にするために、２の紙サイズよりも３の表紙が下部方向へ１５ｍｍ程度大きくする様に設定した。【００１０】この２枚の表紙と中紙１６枚の片辺をリングで綴じ回転可能なファイリングをした。これにより、各ページが容易にめくることが出来、卓上でフラットな状態での書込みを可能にした。又、カレンダーとして立てる際、表紙１を反転させるだけで容易に立てることが出来た。携帯する際も同様に逆に反転させ容易に戻せることは言うまでもない。【００１１】このカレンダー２の部分は、ノートして又カレンダーとして使用する為、その上に直接文字を記入することが出来る紙製であることが好ましく、上質及びマット紙がより、書込みを容易にさせるもである。【００１２】カレンダーとしての目的が主の場合、１枚目はタイトルを２枚目には取り扱い説明書を印刷し、３枚目より１４枚目までを１２ヶ月のカレンダーとする。１５枚目を年間カレンダーとし、そして最後にノートを１枚付け、１６枚でなるノートカレンダーが出来る。【００１３】ノートとしての目的が主の場合、１枚目は取り扱い説明書とし２枚目から８枚目までをノートとする。９枚目から１４枚目までを１枚に２ヶ月カレンダーとし、１２ヶ月のカレンダーを印刷する。１５枚目を年間カレンダーとし１６枚目をメモ＆Ｔｅｌとするノートカレンダーを製作する。【００１４】このように構成された本考案の自立タイプノートカレンダーはコンパクトでありながらノートして又カレンダーとして有効かつ実用的なものである。
【実施例】
【００１５】次に実施例を〔図１〕と〔図２〕にもどずいて具体的に説明する。自立タイプノートカレンダーが〔図１〕の様に自立する状態までに何秒かかるか立ててみることにした。３秒とかからなかった。又、逆に立てた状態から綴じた状態にするには、１秒とかからなかった。〔図２〕の状態で手に持った感じは、コンパクトで持ちやすくハードカバーのせいか、しっかりした感覚で厚み６〜７ｍｍしかないのに重量感があり、高級感があった。又、カレンダーをめくる作業も左手で本体を軽く持ち、右手で容易にめくることが出来た。カレンダーの玉やノートに書き込むときも容易にフラットにして書くことが出来た。立てる際に２枚の表紙の間に指を入れて立てて見ると、１秒もかからずに容易に立てることが出来た。
【産業上の利用可能性】
【００１６】本考案は、携帯として又、机上等に立てた状態で使用できる自立タイプノートカレンダーに関するものである。
【図面の簡単な説明】
【００１７】
【図１】本考案の実施の形態を示す斜視図である。
【図２】本考案の携帯時における状態を示す斜視図である。
【図３】本考案の自立を固定させるための方法を示す説明図。
【符号の説明】
【００１８】１厚紙（板紙）又はプラスチック／塩ビ板
２中紙（カレンダー及びノート用紙群）
３厚紙（１同様）
４名入れスペース
５リング
６名入れスペース
【手続補正３】
【補正対象書類名】図面
【補正対象項目名】全図
【補正方法】変更
【補正の内容】
【図１】
0003112903.tif 000006
【図２】
0003112903.tif 000007
【図３】
0003112903.tif 000008